(57)【要約】  本発明は、大気中のオイルミストに進入経路を提供するように外面から中央を突出形成させ、内部と貫通した貫通孔が備えられる引き込みカバー１０と、引き込みカバーに対応して結束され、フォームフィルタ２０の位置固定及びインペラ４０の整列を誘導し、衝突分離と遠心分離を順次併行実施させることによって、気化状態のオイルミストを液化状態に転換するように誘導する分離誘導ハウジング３０と、分離誘導ハウジングの後端で密接して配置され、オイルミストの螺旋回転移動が進行されるように外部と遮断された中空の内部空間を提供するボディー６０と、ボディーの内部空間でインペラと固定結合され、インペラの一方向回転が誘導され得る動力源として作用することによって、引き込みカバーから流れ込まれるオイルミストのろ過を実行する駆動モーター７０と、ボディーの後端の内部空間に収容されながらオイルミストのろ過を再度実施するフィルタ部材８１、及びボディーの開放された後端を外部から密閉させながらろ過された清浄空気の排出経路を提供するように排出口８３が含まれるカバー体８２に区分して形成させた捕集部８０と、ボディーの底部に位置し、分離誘導ハウジングから発生したオイルスラッジ及びボディーから発生したオイルスラッジを、誘導管９１を介在して回収する集水槽９０とから構成される。【選択図】図１
2017524517.tif 000002
【特許請求の範囲】
【請求項１】
産業現場で目的物の加工時に発生する摩擦熱によるオイルの蒸発及び工具回転から誘発されるオイルの飛散に起因して大気と混合されながらスモッグ化されるオイルミストのろ過を実行するための集塵機において、
大気中のオイルミストに進入経路を提供するように外面から中央を突出形成させ、内部と貫通した貫通孔が備えられる引き込みカバー（１０）と、
引き込みカバーに対応して結束され、フォームフィルタ（２０）の位置固定及びインペラ（４０）の整列を誘導し、衝突分離と遠心分離を順次併行実施させることによって気化状態のオイルミストを液化状態に転換するように誘導する分離誘導ハウジング（３０）と、
分離誘導ハウジングの後端で密接して配置され、オイルミストの螺旋回転移動が進行されるように外部と遮断された中空の内部空間を提供するボディー（６０）と、
ボディーの内部空間でインペラと固定結合され、インペラの一方向回転が誘導され得る動力源として作用することによって、引き込みカバーから流れ込まれるオイルミストのろ過を実行する駆動モーター（７０）と、
ボディーの後端の内部空間に収容されながらオイルミストのろ過を再度実施するフィルタ部材（８１）、及びボディーの開放された後端を外部から密閉させながらろ過された清浄空気の排出経路を提供するように排出口（８３）が含まれるカバー体（８２）に区分して形成させた捕集部（８０）と、
ボディーの底部に位置し、分離誘導ハウジングから発生したオイルスラッジ及びボディーから発生したオイルスラッジを、誘導管（９１）を介在して回収する集水槽（９０）と、から構成されることを特徴とするオイルミスト集塵機。
【請求項２】
前記分離誘導ハウジング（３０）は、フォームフィルタ（２０）の介在のために先端に延長形成されるロッド（３１）と、ロッドの直径に比べて拡張形成されながらインペラ（４０）の外縁部から同一の離隔間隙を維持した状態でカバーするための環形突部（３２）と、に区分して構成することによって、引き込みカバー（１０）を通じて吸い込まれるオイルミストのフォームフィルタ（２０）による衝突分離、及びインペラ（４０）の回転時にオイルミストに作用する遠心力に起因して環形突部（３２）へのオイルスラッジが集中的に誘導される遠心分離過程を併行実施できるように構成されることを特徴とする、請求項１に記載のオイルミスト集塵機。
【請求項３】
前記環形突部（３２）は、円形、三角、四角を含む多角の断面を有するように構成されることを特徴とする、請求項２に記載のオイルミスト集塵機。
【請求項４】
前記インペラ（４０）と駆動モーター（７０）との間の空間にはコイル旋回誘導ユニット（５０）をさらに介在し、駆動モーターの動力源を通じてインペラとコイル旋回誘導ユニットの同一の回転を実施させることによって、インペラに誘導される遠心分離によって液化できなかったオイルミストをボディーの内部空間で再度ろ過させることを含み、
前記コイル旋回誘導ユニット（５０）は、インペラ（４０）によって遠心分離を経たオイルミストの流れが誘導される数個の貫通部（５１）と、各貫通部の間に交互に配列され、ボディー（６０）の内径に近接するように延長形成されながらオイルミストの進行速度低減に起因した渦流現象を発生させると共に、貫通部に対するオイルミストの集中的な進行経路を誘導させる数個の延長部（５２）と、貫通部から流れ込まれたオイルミストに螺旋形回転を誘導できるように貫通部と延長部との境界線上で駆動モーター（７０）方向に突出形成される数個の案内羽根（５３）と、を含んで構成されることを特徴とする、請求項１に記載のオイルミスト集塵機。
【請求項５】
前記案内羽根（５３）は、ボディー（６０）の中心方向にそれぞれラウンド状に折り曲げられた形状を有し、駆動モーター（７０）方向への突出範囲は、貫通部（５１）の幅と同一になるように構成されることを特徴とする、請求項４に記載のオイルミスト集塵機。
【発明の詳細な説明】
【技術分野】
【０００１】
本発明は、オイルミスト集塵機に関し、より詳細には、各種の産業現場で発生するオイルミストに含有された油と空気をより効率的に分離及び排出できるように互いに異なる方式で実行される多段階の分離過程に起因して清浄空気の排出が誘導され得るオイルミスト集塵機に関する。
【０００２】
本出願は、２０１５年７月１６日に出願された韓国特許出願第１０−２０１５−０１０１２７１号に基づく優先権を主張し、該当出願の明細書及び図面に開示した全ての内容は本出願に援用される。
【背景技術】
【０００３】
一般に、オイルミスト集塵機は、各種の産業現場や食堂などで発生する油粒子が多量含有された空気、すなわち、オイルミストを吸い込み、油と空気をそれぞれ分離して別途に排出するように構成される装置である。このとき、排出される油は、別途に捕集及び回収して再活用することができ、浄化された清浄空気によって作業環境を爽快に維持できるなど、その活用度が非常に高いので、多様な分野の産業現場でオイルミスト集塵機が使用されている。
【０００４】
通常的なオイルミスト集塵機は、フィルタろ過方式、遠心分離方式及び静電気力分離方式の集塵機に大きく区分することができる。フィルタろ過方式の集塵機は、最も一般的な形態の集塵機の構成であり、本体の内部に送風ファンとろ過フィルタが装着されてオイルミストを吸い込み、フィルタによって不透過性の油粒子はろ過し、浄化された空気のみを排出させるように構成される。しかし、高いろ過効率を発揮するためにはフィルタを頻繁に取り替えなければならないので、維持費用面で非経済的であるという問題がある。
【０００５】
遠心分離方式の集塵機は、遠心分離装置を用いて回転気流を形成し、遠心力を用いて油と空気を分離させるように構成される。遠心分離装置の形態及び構成は、分離対象の性質によって多様に差別化できるので、最も適合で且つ効率的な構成の開発が必要である。一方、遠心分離方式は、前記フィルタろ過方式に比べて維持費用は節減できるが、ろ過効率も低下するので、微細粒子が分離され得ないという問題がある。
【０００６】
また、静電気力分離方式の集塵機は、オイルミストを荷電させ、油粒子を凝集させた後で分離するように構成されるので、一般に、前記フィルタろ過方式や遠心分離方式と共に使用されたときに完成可能な方式である。
【０００７】
一方、前記のような問題を認知し、登録実用新案公報第２０−０４１８７１３号が公知となったことがあるが、これは、前記遠心分離方式とフィルタろ過方式を共に構成した集塵機の形態である。
【０００８】
これと関連して概略的に説明すると、本体の内部を構成するにおいて、上部と下部に送風ファンをそれぞれ設置し、下部でオイルミストを遠心分離し、上部でフィルタによってろ過した後、浄化された空気が排出されるように構成している。
【０００９】
このように、二つの異なる分離方式の組み合わせによってろ過効率の増大を図っていたが、内部構成要素の構造的限界により、下部と上部との間に気流の円滑な流れが形成されなく、結局、一つ以上の送風ファンの設置が不可避であるという問題がある。
【００１０】
併せて、送風ファンを駆動するモーターが気流の流路上に直接露出する構造をなすので、吸着する油垢などによって装置の寿命が短縮され得るという問題も内包しており、より効率的に改善された構成からなる集塵機の開発が至急である。
【発明の概要】
【発明が解決しようとする課題】
【００１１】
本発明は、前記のような諸般の問題をより積極的に解消するためになされたものであって、互いに異なる方式で実行される多段階の分離過程に起因して清浄空気の排出を誘導させることを解決課題とする。
【課題を解決するための手段】
【００１２】
前記解決課題を達成するために、本発明のオイルミスト集塵機１００を構成するにおいて、
前記オイルミスト集塵機１００は、大気中のオイルミストに進入経路を提供するように外面から中央を突出形成させ、内部と貫通した貫通孔が備えられる引き込みカバー１０と、引き込みカバーに対応して結束され、フォームフィルタ２０の位置固定及びインペラ４０の整列を誘導し、衝突分離と遠心分離を順次併行実施させることによって、気化状態のオイルミストを液化状態に転換するように誘導する分離誘導ハウジング３０と、分離誘導ハウジングの後端で密接配置され、オイルミストの螺旋回転移動が進行されるように外部と遮断された中空の内部空間を提供するボディー６０と、ボディーの内部空間でインペラと固定結合され、インペラの一方向回転が誘導され得る動力源として作用することによって、引き込みカバーから流れ込まれるオイルミストのろ過を実行する駆動モーター７０と、ボディーの後端の内部空間に収容されながらオイルミストのろ過を再度実施するＨＥＰＡフィルタ８１、及びボディーの開放された後端を外部から密閉させながらろ過された清浄空気の排出経路を提供するように排出口８３が含まれるカバー体８２に区分して形成させた捕集部８０と、ボディーの底部に位置し、分離誘導ハウジングから発生したオイルスラッジ及びボディーから発生したオイルスラッジを、誘導管９１を介在して回収する集水槽９０とから構成されることを特徴とする。
【００１３】
ここで、前記分離誘導ハウジング３０は、フォームフィルタ２０の介在のために先端に延長形成されるロッド３１と、ロッドの直径に比べて拡張形成されながらインペラ４０の外縁部から同一の離隔間隙を維持した状態でカバーするための環形突部３２とに区分して構成することによって、引き込みカバー１０を通じて吸い込まれるオイルミストのフォームフィルタ２０による衝突分離、及びインペラ４０の回転時にオイルミストに作用する遠心力に起因して環形突部３２にオイルスラッジが集中的に誘導される遠心分離過程を併行実施できるように構成されることを特徴とする。
【００１４】
また、前記環形突部３２は、円形、三角、四角を含む多角の断面を有するように構成されることを特徴とする。
【００１５】
一方、前記インペラ４０と駆動モーター７０との間の空間にはコイル旋回誘導ユニット５０をさらに介在し、駆動モーターの動力源を通じてインペラとコイル旋回誘導ユニットの同一の回転を実施させることによって、インペラに誘導される遠心分離によって液化できなかったオイルミストをボディーの内部空間で再度ろ過させることを含み、前記コイル旋回誘導ユニット５０は、インペラ４０によって遠心分離を経たオイルミストの流れが誘導される数個の貫通部５１と、各貫通部の間に交互に配列され、ボディー６０の内径に近接するように延長形成されながらオイルミストの進行速度低減に起因した渦流現象を発生させると共に、貫通部に対するオイルミストの集中的な進行経路を誘導させる数個の延長部５２と、貫通部から流れ込まれたオイルミストに螺旋形回転を誘導できるように貫通部と延長部との境界線上で駆動モーター７０方向に突出形成される数個の案内羽根５３とを含んで構成されることを特徴とする。
【００１６】
ここで、前記案内羽根５３は、ボディー６０の中心方向にそれぞれラウンド状に折り曲げられた形状を有し、駆動モーター７０方向への突出範囲は貫通部５１の幅と同一になるように構成されることを特徴とする。
【発明の効果】
【００１７】
上述した構成からなる本発明によると、互いに異なる方式で実行される多段階の分離過程に起因して清浄空気の排出がより効率的に誘導され得ることはもちろん、１次衝突分離及び２次、３次遠心分離を順次行いながら互いに同一でない遠心分離方式を併行実施することによって、オイルミストからのろ過効率性及びオイル回収率がさらに極大化されるという効果がある。
【図面の簡単な説明】
【００１８】
【図１】本発明の好ましい実施例によって構成されるオイルミスト集塵機の斜視図である。
【図２】図１の内部構成を概略的に部分的に示した概念図である。
【図３】本発明の好ましい実施例によって構成されるオイルミスト集塵機の要部分解斜視図である。
【図４】本発明によって吸い込まれたオイルミストの流動過程を詳細に示した断面例示図である。
【図５】本発明の要部である環形突部の構成を多様に適用可能であることを示した断面例示図である。
【発明を実施するための形態】
【００１９】
本発明は、各種の産業現場や食堂などで発生するオイルミストに含有された油と空気を効率的に分離及び排出するための一連の構成からなり、オイルミストの吸い込みから排出までの多段階の分離過程を経ることによって、油と浄化された空気を別途に排出させるオイルミスト集塵機１００に関する。
【００２０】
以下、添付の図面を参考にして本発明の多様な実施例について説明し、これによる作用及び効果を一括的に記述する。
【００２１】
本発明の利点及び特徴、そして、それらを達成する方法は、添付の図面と共に詳細に説明している実施例を参照すれば明確になるだろう。しかし、本発明は、以下で開示する実施例に限定されるものではなく、互いに異なる多様な形態で具現可能である。但し、本実施例は、本発明の開示を完全にし、本発明の属する技術分野で通常の知識を有する者に発明の範疇を完全に知らせるために提供されるものであり、本発明は、請求項の範疇によって定義されるものに過ぎない。そして、明細書全文にわたって同一の参照符号は同一の構成要素を称する。
【００２２】
本発明では、産業現場で目的物の加工時に発生する摩擦熱によるオイルの蒸発及び工具回転から誘発されるオイルの飛散に起因して大気と混合されながらスモッグ化されるオイルミストのろ過を実行するための集塵機１００に関して開示する。
【００２３】
図１は、本発明の好ましい実施例によって構成されるオイルミスト集塵機の斜視図で、図２は、図１の内部構成を概略的に部分的に示した概念図で、図３は、本発明の好ましい実施例によって構成されるオイルミスト集塵機の要部分解斜視図で、図４は、本発明によって吸い込まれたオイルミストの流動過程を詳細に示した断面例示図である。
【００２４】
図１〜図４に示したように、本発明で特徴として提示するオイルミスト集塵機１００は、各種の産業現場で発生するオイルミストに含有された油と空気をより効率的に分離及び排出できるように互いに異なる方式で実行される多段階の分離過程に起因して清浄空気の排出を誘導させることを主要部とする。
【００２５】
このために、前記オイルミスト集塵機１００は、大気中のオイルミストに進入経路を提供するように外面から中央を突出形成させ、内部と貫通した貫通孔が備えられる引き込みカバー１０と、引き込みカバーに対応して結束され、フォームフィルタ２０の位置固定及びインペラ４０の整列を誘導し、衝突分離と遠心分離を順次併行実施させることによって、気化状態のオイルミストを液化状態に転換するように誘導する分離誘導ハウジング３０と、分離誘導ハウジングの後端で密接配置され、オイルミストの螺旋回転が進行されるように外部と遮断された中空の内部空間を提供するボディー６０と、ボディーの内部空間でインペラと固定結合され、インペラの一方向回転が誘導され得る動力源として作用することによって、引き込みカバーから流れ込まれるオイルミストのろ過を実行する駆動モーター７０と、ボディーの後端の内部空間に収容されながらオイルミストのろ過を再度実施するフィルタ部材８１、及びボディーの開放された後端を外部から密閉させながらろ過された清浄空気の排出経路を提供するように排出口８３が含まれるカバー体８２に区分して形成させた捕集部８０と、ボディーの底部に位置し、分離誘導ハウジングから発生したオイルスラッジ及びボディーから発生したオイルスラッジを、誘導管９１を介在して回収する集水槽９０とから構成される。
【００２６】
前記引き込みカバー１０は、オイルミストが最初に流れ込まれる構成要素であって、識別番号を付与していないが、図面と同一の前方に突出した形状の貫通孔を形成し、より集中的な吸入効率を具現可能にする。
【００２７】
このような引き込みカバー１０は、フォームフィルタ２０を介在した分離誘導ハウジング３０の全面をカバーするようになるが、これらの相互結合は、トグルクランプ（図示せず）を始めとする公知の多様な締結手段で行われ得ることは自明な事実である。
【００２８】
前記フォームフィルタ２０は、引き込みカバーを通じて流れ込まれるオイルミストに抵抗力を付与し、衝突分離するために備えられる構成要素であって、分離誘導ハウジングのロッドの先端に固定装着されることが好ましい。
【００２９】
ここで、フォームフィルタ２０は、ディーゼルパティキュレートフィルタの一種であって、セラミックを泡状に成形してフィルタとして使用したものを称するが、微細スラッジの浸透防止にも有利な効果を有する。
【００３０】
前記インペラ４０は、駆動モーター７０の回転力に起因して回転しながらオイルミストに人為的な遠心力を伝達することによって、遠心分離が実行されるように誘導するための諸般の要素である。
【００３１】
このために、本発明のインペラ４０は、駆動モーターの中心軸上に据え置かれて固定された状態で分離誘導ハウジング３０の環形突部３２の空間上に内設されることによって、インペラの回転で誘導される遠心力がこれと近接距離を置いて位置した環形突部の内壁に集中することができ、これによって、気化状態のオイルミストを液化状態に転換するように誘導する。
【００３２】
このようなインペラは公知のものであって、本発明では、インペラの固定位置を特定し、これによって集塵効率性を極大化させることにその核心がある。これと関連しては、下記の図面と共に詳細に記述する。
【００３３】
前記捕集部８０は、上述したように、フィルタ部材８１、カバー体８２、及び排出口８３に区分して構成することができ、ボディー６０の後端を全面カバーすることによって密閉力を向上させる。
【００３４】
このとき、前記フィルタ部材８１としては、ＨＥＰＡフィルタを含むサランフィルタ（Ｓａｒａｎ  Ｆｉｌｔｅｒ）、デミスターフィルタなどが採用可能である。
【００３５】
例えば、ＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）は、フォームフィルタ２０による衝突分離及びインペラ４０とコイル旋回誘導ユニット５０による遠心分離を順次経たオイルミストにろ過行為が再度なされるように採択するが、０．３μｍのサイズを有する粒子を９９．９９７％まで捕集できるようになり、高効率のろ過機能を発揮することができる。
【００３６】
本発明で要部として提示している分離誘導ハウジング３０は、図３に示したように、フォームフィルタ２０の介在のために先端に延長形成されるロッド３１と、ロッドの直径に比べて拡張形成されながらインペラ４０の外縁部から同一の離隔間隙を維持した状態でカバーするための環形突部３２とに区分して構成される。
【００３７】
このような構成により、引き込みカバー１０を通じて吸い込まれるオイルミストのフォームフィルタ２０による衝突分離、及びインペラ４０の回転時にオイルミストに作用する遠心力に起因して環形突部３２へのオイルスラッジが集中的に誘導される遠心分離過程を併行実施する。
【００３８】
すなわち、図４のようにフォームフィルタ２０を経たオイルミストは、一方向への回転が持続されるインペラ４０と接するようになり、回転力から誘発される遠心力によって環形突部３２の内壁に集中するが、このとき、オイル粒子は、空気と分離されながら環形突部に結集され、集水槽９０に流れ込むようになる。
【００３９】
前記環形突部３２は、捕集されるオイルの量によって又は設置場所によって多様な形状に提供することができ、これは、図５に例示した通りである。
【００４０】
図５は、本発明の要部である環形突部の構成を多様に適用可能であることを示した断面例示図であり、図５に示したように、本発明での環形突部３２は、円形、三角、四角を含む多角の断面を有するように構成することによって所期の目的を達成するようになる。
【００４１】
前記集水槽９０は、分離誘導ハウジング３０及びボディー６０の底部に位置して配列され、それぞれフォームフィルタ２０、インペラ４０、後述するコイル旋回誘導ユニット５０、及びフィルタ部材８１から誘導されるオイル粒子を回収する。
【００４２】
例えば、分離誘導ハウジング３０とインペラ４０によって捕集されたオイル粒子は、環形突部３２の底部に穿孔させた領域に集中しながら集水槽９０に向かって落下し、ボディー６０の内部に位置したコイル旋回誘導ユニット５０とフィルタ部材８１を経由して捕集されたオイル粒子は、所定の誘導管９１を使用して集水槽９０と貫通させることによって該当オイルを回収するようになる。このために、ボディーの底部には、誘導管の引き込みが可能になるように通孔が穿孔されなければならなく、集水槽の一側面に対しても誘導管を収容可能な適正な空間が穿孔されなければならない。
【００４３】
未説明符号８４は、排気ダクトを称するものであって、捕集部８０の排出口８３と互いに噛み合わされて結束されながら清浄空気の円滑な排出を誘導できるように上方に折り曲げられた形状からなり、その他の多様な形状も可能であることは自明である。
【００４４】
一方、本発明では、前記インペラ４０と駆動モーター７０との間の空間にコイル旋回誘導ユニット５０をさらに介在することを特徴とする。
【００４５】
このような構成により、駆動モーター７０の動力源を通じてインペラとコイル旋回誘導ユニット５０の同一の回転が実施されるように誘導することによって、インペラから実行される遠心分離によって液化できなかったオイルミストをボディー６０の内部空間で再度ろ過する。
【００４６】
このために、前記コイル旋回誘導ユニット５０は、インペラ４０によって遠心分離を経たオイルミストの流れが誘導される数個の貫通部５１と、各貫通部の間に交互に配列され、ボディー６０の内径に近接するように延長形成されながらオイルミストの進行速度低減に起因した渦流現象を発生させると共に、貫通部に対するオイルミストの集中的な進行経路を誘導させる数個の延長部５２と、貫通部から流れ込まれたオイルミストに螺旋形回転を誘導できるように貫通部と延長部との境界線上で駆動モーター７０方向に突出形成される数個の案内羽根５３とを含む。
【００４７】
前記貫通部５１は、図面に示したように、合計３ヶ所に区分して編成し、インペラ４０を経由して吸い込まれるオイルミストに対する移動経路を提供することによって、オイルミストをボディー６０の空間に移動させる手段となる。
【００４８】
また、前記延長部５２は、このような貫通部に対応するように区分して編成することによってオイルミストの進行経路を遮断すると同時に、貫通部領域にオイルミストの進行経路を集中させる役割が付与される。このとき、オイルミストの流れが延長部によって抑制されながら自然に該当領域に渦流がもたらされ、これによって、オイルミストは、インペラとコイル旋回誘導ユニット５０との間の空間に一瞬間留まるようになり、これが遠心分離実行時間が延長される結果につながり、ろ過効率をさらに増大させることができる。特に、貫通部５１に依存してボディーの内部に移動するオイルミストに人為的な回転力を付与することによって（コイル旋回誘導ユニットの回転駆動で可能である）、目的とするボディー上での螺旋形遠心分離を誘導することができる。
【００４９】
すなわち、貫通部５１と延長部５２は、インペラを経たオイルミストが無分別に且つ過度にボディーの内部に直行できないように調節する手段になると同時に、構造的に貫通部に集中するオイルミストに対して螺旋形旋回を積極的に誘導できる手段として活用される。このために、本発明では、貫通部と延長部との境界線上に所定の案内羽根５３をさらに付与する。
【００５０】
前記案内羽根５３は、ボディー６０の中心方向にそれぞれラウンド状に折り曲げられた形状を有し、駆動モーター７０方向への突出範囲は、貫通部５１の幅と同一になるように構成されることが好ましい。
【００５１】
すなわち、駆動モーター７０の回転力に伴って自体的に回転するコイル旋回誘導ユニット５０の特性上、貫通部５１を経て移動するオイルミストに対してさらに強い螺旋回転が誘導されるように折り曲げられた形状の案内羽根５３をさらに付与し、このとき、案内羽根の突出長さは、必要以上に過大又は過小であってはならない。
【００５２】
例えば、コイル旋回誘導ユニット５０を形成するために一つの円板を設けた後、縁面を、一定間隙を置いて均等に切開することによって貫通部及び延長部の生成を誘導し、切開された面は一側に旋回させて立設させることによって、本発明で提示する案内羽根の生成も誘導することができる。
【００５３】
上述した構成からなる本発明によると、互いに異なる方式で実行される多段階の分離過程に起因して清浄空気の排出がより効率的に誘導され得ることはもちろん、１次衝突分離及び２次、３次遠心分離を順次行いながら互いに同一でない遠心分離方式を併行実施することによって、オイルミストからのろ過効率性及びオイル回収率がさらに極大化されるという効果がある。
【００５４】
本発明は、図面に示した実施例を参考にして説明したが、これは例示的なものに過ぎなく、本技術分野で通常の知識を有する者であれば、これから多様な変形及び均等な他の実施例が可能であるという点を明確にすべきであろう。よって、本発明の真の技術的保護範囲は、添付の特許請求の範囲によって解釈すべきであり、それと同等な範囲内にある全ての技術的思想は本発明の権利範囲に含まれるものと解釈すべきであろう。
【符号の説明】
【００５５】
１０  引き込みカバー
２０  フォームフィルタ
３０  分離誘導ハウジング
４０  インペラ
５０  コイル旋回誘導ユニット
６０  ボディー
７０  駆動モーター
８０  捕集部
９０  集水槽
１００  オイルミスト集塵機
【図１】
2017524517.tif 000003
【図２】
2017524517.tif 000004
【図３】
2017524517.tif 000005
【図４】
2017524517.tif 000006
【図５】
2017524517.tif 000007
【国際調査報告】
2017524517.tif 000008
2017524517.tif 000009
2017524517.tif 000010
2017524517.tif 000011